(57)【要約】【課題】各色の中間階調での色ずれ補正を簡易な構成で実現することができる電気光学装置、及び電気機器を提供する。【解決手段】データ線２１１に設けられたパルス幅変調器５４で、表示データＤａ−ｊに応じたパルス幅の信号Ｐｊを出力し、当該信号Ｐｊに基づいて、ランプ信号生成回路３０で生成されるランプ信号Ｖｒｐをサンプリングし、データ線２１１に出力する。このとき、パルス幅変調器５４は、表示データＤａ−ｊをもとにメモリ５４ａに記憶されたデコード値を参照して信号Ｐｊを出力する。また、当該デコード値は、Ｖ−Ｔ曲線を考慮して設定されており、各画素１２０が有するカラーフィルタの色ごとに変更可能な構成とする。【選択図】図１
2008151987.tif 000002
【特許請求の範囲】
【請求項１】
複数の走査線と、複数のデータ線と、前記複数の走査線と前記複数のデータ線との交差
に対応して設けられた複数の画素と、を備える電気光学装置において、
前記走査線に対して所定の順番で選択電圧を供給する走査線駆動回路と、
前記走査線に対して前記選択電圧が供給される１水平走査期間にわたって、所定の電位
から電圧を上昇又は下降方向に変化させたランプ信号を生成するランプ信号生成回路と、
前記画素に対する表示データの各階調に夫々対応したカウント値を記憶する記憶回路と
、
前記複数のデータ線に対応して設けられ、前記走査線駆動回路で選択された走査線と自
身に対応するデータ線との交差に対応する画素の表示データをもとに、前記記憶回路に記
憶されたカウント値に基づいてカウントを遂行し、制御信号を出力する制御信号出力回路
と、
前記複数のデータ線に対応して設けられ、自身に対応するデータ線に設けられた前記制
御信号出力回路から出力される制御信号に基づいて、前記ランプ信号をサンプリングして
、自身のデータ線に出力するスイッチ回路と、を備え、
前記記憶回路は、前記画素に設けられたカラーフィルタの色に応じたカウント値を記憶
可能に構成されていることを特徴とする電気光学装置。
【請求項２】
前記記憶回路は、前記カウント値を任意に変更することができることを特徴とする請求
項１に記載の電気光学装置。
【請求項３】
前記画素は、少なくとも赤系、緑系、青系の３色のカラーフィルタを有し、前記記憶回
路は、赤系及び緑系に対応する前記カウント値を共通化し、青系に対応する前記カウント
値を独立して記憶していることを特徴とする請求項１又は２に記載の電気光学装置。
【請求項４】
前記記憶回路は、青系に対応する前記カウント値を、赤系及び緑系の前記カウント値に
対して所定量を加減算した値として記憶していることを特徴とする請求項３に記載の電気
光学装置。
【請求項５】
前記記憶回路は、所定の中間階調領域において、前記カラーフィルタの色に応じたカウ
ント値を記憶していることを特徴とする請求項１乃至４の何れか１項に記載の電気光学装
置。
【請求項６】
前記請求項１乃至５の何れか１項に記載の電気光学装置を備える電気機器。
【発明の詳細な説明】
【技術分野】
【０００１】
本発明は、例えば、液晶などの電気光学物質を用いた電気光学装置、及びこの電気光学
装置を有する電気機器に関する。
【背景技術】
【０００２】
従来の電気光学装置として、時間経過に伴って段階的に上昇又は下降する電圧を周期的
に発生し、階調表示データに対応する時間が経過したときの電圧か、前記電圧が階調表示
データに対応した電圧値に到達したときの電圧を表示パネルの電極に印加して階調表示を
行うというものが知られている（例えば、特許文献１参照）。
【特許文献１】特開平９−６８６９２号公報
【発明の開示】
【発明が解決しようとする課題】
【０００３】
ところで、液晶モジュールでの電圧（Ｖ）に対する透過率（Ｔ）の関係を示すＶ−Ｔ曲
線を測定すると、ＲＧＢ毎に曲線が異なる場合がある。これは、カラーフィルタを通した
後におけるＲＧＢの各光の波長が異なるためであり、液晶の屈折により各色で透過率が変
わるという現象が生じる。そして、特に短波長の青（Ｂ）がこの影響を受け易い傾向にあ
る。
【０００４】
近年の液晶モジュールでは、色再現性や輝度の向上のために、画質（色）が特に重要に
なってきており、赤（Ｒ）や青（Ｂ）の中間階調での色ずれを補正するような要求が高ま
っている。
しかしながら、上記特許文献１に記載の電気光学装置にあっては、ＲＧＢ毎に独立で階
調補正をすることができないため、上記色ずれを補正することはできない。
【０００５】
一方、ラダー抵抗を用いて基準階調電圧を生成し、走査線に選択電圧が供給される期間
に、上記基準階調電圧の中から階調に応じた電圧を選択し、これを、データ線を介して画
素電極に印加する電圧変調方式も多用されているが、この場合、ＲＧＢ毎に独立で階調補
正をするためには、ラダー抵抗をＲＧＢ毎に設ける必要がある。このように、自由なガン
マ曲線（階調に対する輝度特性）を作るためには、それだけ抵抗を増やす必要があり、回
路規模が大きくなると共にコストが嵩む。
【０００６】
そこで、本発明は、各色の中間階調での色ずれ補正を簡易な構成で実現することができ
る電気光学装置、及び電気機器を提供することを課題としている。
【課題を解決するための手段】
【０００７】
上記課題を解決するために、第１の発明に係る電気光学装置は、複数の走査線と、複数
のデータ線と、前記複数の走査線と前記複数のデータ線との交差に対応して設けられた複
数の画素と、を備える電気光学装置において、
前記走査線に対して所定の順番で選択電圧を供給する走査線駆動回路と、
前記走査線に対して前記選択電圧が供給される１水平走査期間にわたって、所定の電位
から電圧を上昇又は下降方向に変化させたランプ信号を生成するランプ信号生成回路と、
前記画素に対する表示データの各階調に夫々対応したカウント値を記憶する記憶回路と
、
前記複数のデータ線に対応して設けられ、前記走査線駆動回路で選択された走査線と自
身に対応するデータ線との交差に対応する画素の表示データをもとに、前記記憶回路に記
憶されたカウント値に基づいてカウントを遂行し、制御信号を出力する制御信号出力回路
と、
前記複数のデータ線に対応して設けられ、自身に対応するデータ線に設けられた前記制
御信号出力回路から出力される制御信号に基づいて、前記ランプ信号をサンプリングして
、自身のデータ線に出力するスイッチ回路と、を備え、
前記記憶回路は、前記画素に設けられたカラーフィルタの色に応じたカウント値を記憶
可能に構成されていることを特徴としている。
【０００８】
これにより、走査線駆動回路で、選択電圧を順番に供給することで１ラインずつ走査線
に係る画素を選択し、この選択に同期してデータ線をオンし、ランプ信号生成回路で生成
したランプ信号を供給すると共に、表示データの階調に応じたタイミングでデータ線をオ
フし、そのときの電圧を保持する。このようにして、選択電圧で選択した全ての画素の画
素電極に画像データを書き込む。このとき、前記記憶回路を、カラーフィルタの色に応じ
たカウント値を記憶可能に構成することで、ＲＧＢ毎に独立して階調補正を行うことがで
きる。
【０００９】
したがって、液晶モジュールでのＶ−Ｔ曲線がＲＧＢ毎に異なる場合であっても、回路
規模を増大させることなく簡易な構成で適切に色ずれを補正して、画質の向上を実現する
ことができる。
また、第２の発明は、第１の発明において、前記記憶回路は、前記カウント値を任意に
変更することができることを特徴としている。
【００１０】
これにより、前記カウント値を書き換えることで、任意の階調補正を行うことができる
ので、回路規模を増大させることなく簡易な構成で自由なガンマ曲線を作ることができる
。その結果、複数ガンマに対応することができるなど、画質の更なる向上を実現すること
ができる。
さらに、第３の発明は、第１又は第２の発明において、前記画素は、少なくとも赤系、
緑系、青系の３色のカラーフィルタを有し、前記記憶回路は、赤系及び緑系に対応する前
記カウント値を共通化し、青系に対応する前記カウント値を独立して記憶していることを
特徴としている。
【００１１】
これにより、特に影響を受けやすい青色の色ずれ補正を適切に行うことができると共に
、赤色と緑色に対応するカウント値を共通化して記憶することでデコード回路を簡易化す
ることができる。
また、第４の発明は、第３の発明において、前記記憶回路は、青系に対応する前記カウ
ント値を、赤系及び緑系の前記カウント値に対して所定量を加減算した値として記憶して
いることを特徴としている。
【００１２】
これにより、デコード回路の更なる簡易化を実現することができる。
さらにまた、第５の発明は、第１乃至第４の発明の何れか１つにおいて、前記記憶回路
は、所定の中間階調領域において、前記カラーフィルタの色に応じたカウント値を記憶し
ていることを特徴としている。
これにより、中間階調における色ずれ補正を適切に行うことができ、より効果的に画質
の向上を実現することができる。
【００１３】
さらに、第６の発明の電気機器は、第１乃至第５の発明の何れか１つの電気光学装置を
備えることを特徴としている。
これにより、各色の中間階調での色ずれ補正を簡易な構成で実現した電気機器とするこ
とができる。
【発明を実施するための最良の形態】
【００１４】
以下、本発明の実施の形態を図面に基づいて説明する。
図１は本実施形態の電気光学装置１の構成を示すブロック図である。
この図１に示すように、電気光学装置１は、表示領域１００や、タイミング制御回路１
０、走査線駆動回路２０、ランプ信号生成回路３０等を含む。このうち、表示領域１００
は、画素１２０が配列する領域であり、本実施形態では、３２０行の走査線３１１が行（
Ｘ）方向に延在すると共に、２４０列のデータ線２１１が列（Ｙ）方向に延在しており、
これらの３２０行の走査線３１１と２４０列のデータ線２１１との交差に対応して、画素
１２０がそれぞれ配列している。
【００１５】
本実施形態の電気光学装置１は、カラー表示が可能な液晶装置であって、表示領域１０
０には、図示しないカラーフィルタが設けられている。これらのカラーフィルタは、各画
素に対応して原色の着色が施された着色領域を有する。
表示領域１００に設けられているカラーフィルタは、Ｒ（赤系）、Ｇ（緑系）、Ｂ（青
系）の３色の着色領域を有し、行方向に３色の画素がＲＧＢの順に配置され、列方向には
同じ色の画素が配置されるストライプ型の画素配置となっている。
【００１６】
なお、本実施形態では、画素１２０が表示領域１００において、縦３２０行×横２４０
列でマトリクス状に配列している場合について説明するが、本発明をこの配列に限定する
趣旨ではない。
次に、画素１２０の詳細な構成について説明する。
図２は、画素１２０の構成を示す図であり、ｉ行及びこれに隣接する（ｉ＋１）行と、
ｊ列及びこれに隣接する（ｊ＋１）列との交差に対応する２×２の計４画素分の構成を示
している。
【００１７】
この図２に示すように、各画素１２０は、液晶容量（液晶素子）１３０と、スイッチン
グ素子として機能するｎチャンネル型の薄型トランジスタ（以下、ＴＦＴと称す）２４１
とを有する。各画素１２０については互いに同一構成であるため、ｉ行ｊ列に位置するも
ので代表して説明すると、当該ｉ行ｊ列の画素１２０において、ＴＦＴ２４１のゲートは
ｉ行目の走査線３１１に接続され、そのソースはｊ列目のデータ線２１１に接続され、そ
のドレインは液晶容量１３０の一端たる画素電極２３１に接続されている。
【００１８】
また、液晶容量１３０の他端は、コモン電極１１０である。このコモン電極１１０には
コモン電圧Ｖｃｏｍが印加されており、図１に示されるように、全ての画素１２０にわた
って共通である。ここで、コモン電圧Ｖｃｏｍは、後述する論理信号のＨレベルに相当す
る電圧Ｖｄｄと論理信号のＬレベルに相当する電圧Ｖｓｓとの中間電圧Ｖｃで一定である
。また、本実施形態では、電圧Ｖｓｓは接地電位Ｇｎｄであって、電圧ゼロの基準となっ
ている。
【００１９】
そして、液晶容量１３０では、画素電極２３１とコモン電極１１０との差電圧が保持さ
れると共に、液晶容量１３０の透過（または反射）光量が、当該保持電圧の実効値に応じ
て変化する構成となっている。
この電気光学装置１では、コモン電極１１０の電圧を基準電圧として、この基準電圧よ
りも高い電圧でデータ線３１１に画像信号を供給する正極性書込と、基準電圧よりも低い
電圧でデータ線３１１に画像信号を供給する負極性書込とを交互に行う。
【００２０】
ところで、ＴＦＴ２４１はオフ状態であっても、そのオフ抵抗が理想的な無限大になら
ないので、液晶容量１３０に蓄積された電荷が当該ＴＦＴ２４１を介して少なからずリー
クする。このリークにより液晶容量１３０の保持電圧が低下するのを抑えるために、補助
容量１４０が画素毎に形成されている。この補助容量１４０の一端は、画素電極２３１（
ＴＦＴ２４１のドレイン）に接続され、その他端は、コモン電極１１０に接続されている
。これにより、画素１２０毎に、液晶容量１３０と補助容量１４０とが、ＴＦＴ２４１の
ドレインとコモン電極１１０との間において並列的に接続されるので、ＴＦＴ２４１のオ
フリークの影響が低減されるようになっている。
【００２１】
なお、液晶にかかる電界方向を基板面垂直方向とした場合、補助容量１４０の他端が形
成される基板とコモン電極１１０が形成される基板とは互いに別々になるが、図示しない
導通材により、補助容量１４０の他端とコモン電極１１０との電気的な接続を図ることに
より、図２に示されるような回路構成にすることができる。また、この補助容量１４０の
他端とコモン電極１１０とは、両者間の電圧が一定であれば、必ずしも同電位である必要
はない。
【００２２】
また、図１のタイミング制御回路１０は、後述するレジスタ５２に表示データをセット
するなど、各部を制御するものである。
ここで、本実施形態における表示データは、画素の階調（明るさ）を３２階調として、
５ビットで規定するデジタルデータとする。
走査線駆動回路２０は、タイミング制御回路１０による制御にしたがって、図３に示す
ように、１、２、３、…、３２０行目の走査線３１１をそれぞれ１Ｈ期間毎に順番に選択
すると共に、選択した走査線３１１に対しＨレベルに相当する選択電圧Ｖｄｄを、それ以
外の走査線３１１に対しＬレベルに相当する非選択電圧Ｖｓｓを、それぞれ走査信号とし
て供給するものである。
【００２３】
以下、１、２、３、…、３２０行目の走査背３１１に供給される走査信号を、それぞれ
Ｙ１、Ｙ２、Ｙ３、…、Ｙ３２０と表記し、走査信号について特に行を特定しないで一般
的に説明する場合にはＹｉと表記する。また、１、２、３、…、２４０列目のデータ線２
１１の電圧をＳ１、Ｓ２、Ｓ３、…、Ｓ２４０と表記し、特に列を指定しないで一般的に
説明する場合にはＳｊと表記する。
【００２４】
ランプ信号生成回路３０は、タイミング制御回路１０による制御にしたがって、基本と
なるランプ信号Ｖｒｐを生成するものである。詳細には、ランプ信号生成回路３０は、図
３に示すように、ランプ信号Ｖｒｐについて、ある１水平走査期間（１Ｈ期間）において
、電圧Ｖｃから電圧Ｖｐまで比例的に上昇させる動作と、次の１水平走査期間（１Ｈ期間
）において、電圧Ｖｃから電圧Ｖｍまで比例的に下降させる動作とを交互に繰り返す。
【００２５】
さらに、ランプ信号生成回路３０は、互いに隣接するフレームの期間（１Ｆ期間）にお
いて、同一の走査線が選択される水平走査期間に着目したときに、一方がランプ信号Ｖｒ
ｐの上昇であれば、他方がランプ信号Ｖｒｐの下降となるような関係としている。
また、各データ線２１１には、レジスタ５２と、パルス幅変調器（ＰＷＭ）５４と、ス
イッチ５６との組がそれぞれ設けられている。
【００２６】
このうち、１、２、３、…、２４０列目に対応するレジスタ５２は、タイミング制御回
路１０による制御にしたがって、列に対応する画素１２０の表示データＤａ−１、Ｄａ−
２、Ｄａ−３、…、Ｄａ−２４０を保持するものである。
詳細には、タイミング制御回路１０は、走査信号ＹｉがＨレベルとなるように走査線駆
動回路２０を制御するときに、ｉ行目であって１、２、３、…、２４０列の画素の階調を
指定する５ビットの表示データを、１、２、３、…、２４０列目に対応するレジスタ５２
にそれぞれセットする。これにより、１〜２４０列目に対応するレジスタ５２は、列に対
応する画素の表示データを保持することになる。このため、ｊ列目のデータ線２１１に対
応したもので一般化して説明すると、ｊ列目に対応するレジスタ５２には、走査信号Ｙｉ
がＨレベルとなる前にｉ行ｊ列の画素に対応する表示データＤａ−ｊがセットされること
になる。
【００２７】
ｊ列目に対応するパルス幅変調器５４は、ｊ列目のレジスタ５２にセットされた表示デ
ータＤａ−ｊに応じたパルス幅を有する制御信号としての信号Ｐｊを出力するものである
。具体的には、ｊ列目に対応するパルス幅変調器５４は、１水平走査期間の開始タイミン
グｔｓから、ｊ列目のレジスタ５２にセットされた５ビットの表示データＤａ−ｊによっ
て規定されるタイミングまでＨレベルとなり、次の１水平走査期間の開始までＬレベルと
なるような信号Ｐｊを出力する。
【００２８】
ここで、表示データによって規定されるタイミングとは、図４に示すように、表示デー
タの階調分だけ１水平走査期間（１Ｈ）の開始タイミングｔｓから順番に規定されたタイ
ミングｔ1〜ｔnをいい、これらは各パルス幅変調器５４に設けられたメモリ５４ａに記憶
されたデコード値（レジスタ値）によって決定される。
このデコード値は、１ＨをＭ分割したクロック信号を計数するためのカウント値であり
、０〜ｎ階調をＭ分割のどこに割り当てるかを決定するための値である。ここで、Ｍは階
調数以上の数とする。
【００２９】
また、メモリ５４ａに記憶されるデコード値は、ＲＧＢ毎に設けられたテーブル５８Ｒ
，５８Ｇ，５８Ｂをもとに個別に書換え可能となっている。
つまり、パルス幅変調器５４は、レジスタ５２にセットされた表示データＤａ−ｊに基
づいて、メモリ５４ａを参照して信号Ｐｊを出力するものである。
ここで、タイミングｔ0、ｔ1、ｔ2、…、ｔnは、等間隔に配列しておらず、各色の電圧
（Ｖ）に対する透過率（Ｔ）特性（Ｖ−Ｔ曲線）を考慮した間隔で規定されている。以下
、Ｒ用のデータ線２１１に設けられたメモリ５４ａに記憶されたレジスタ値をＤｒ1〜Ｄ
ｒn、Ｒ用の表示データに対応したタイミングをｔｒ1〜ｔｒnと表記する。同様に、Ｇ用
のデータ線２１１に設けられたメモリ５４ａに記憶されたレジスタ値をＤｇ1〜Ｄｇn、Ｇ
用の表示データに対応したタイミングをｔｇ1〜ｔｇn、Ｂ用のデータ線２１１に設けられ
たメモリ５４ａに記憶されたレジスタ値をＤｂ1〜Ｄｂn、Ｂ用の表示データに対応したタ
イミングをｔｂ1〜ｔｂnと表記する。また、特に色を指定しないで一般的に説明する場合
にはＤ1〜Ｄn、ｔ1〜ｔnと表記する。なお、表示データがｍビットであるときｎ＝２m−
１である。
【００３０】
図５は、各メモリ５４ａが保持するレジスタ値を示している。本実施形態では、Ｒ用レ
ジスタ値とＧ用レジスタ値とは同じ値（Ｄｇ1、Ｄｇ2、…、Ｄｇn）に設定するものとす
る。また、Ｂ用レジスタ値は、所定の中間階調において、Ｒ用及びＧ用レジスタ値に対し
て階調毎に個別にずらした値となっている。
テーブル５８Ｒ，５８Ｇ，５８Ｂには、複数のガンマ曲線（階調に対する輝度特性）に
それぞれ対応した複数のデコード値Ｄ0〜Ｄnの組が格納されており、各メモリ５４ａには
、これらのうち所望のガンマ曲線に対応した１つのデコード値Ｄ0〜Ｄnの組が記憶される
ようになっている。また、各メモリ５４ａに記憶するデコード値は、任意のタイミングで
テーブル５８Ｒ，５８Ｇ，５８Ｂに格納された他のガンマ曲線に対応したデコード値Ｄ0
〜Ｄnに更新可能となっている。
【００３１】
すなわち、各メモリ５４ａは、カラーフィルタの色ごとに独立してデコード値を記憶可
能であると共に、当該デコード値を任意に変更可能となっている。このような構成により
、カラーフィルタの色ごとに所望のガンマ曲線を作ることができるようになっている。
各列のスイッチ５６は単投型であり、一端がランプ信号生成回路３０の出力端に接続さ
れ、他端がデータ線２１１に接続されている。そして、ｊ列目のスイッチ５６は、信号Ｐ
ｊがＨレベルであればオンされ、Ｌレベルであればオフされるようになっている。
【００３２】
これにより、スイッチ５６がオン状態となっている間は、ランプ信号生成回路３０から
出力されるランプ信号Ｖｒｐと同等の電圧波形がそのままデータ線２１１に与えられ、ス
イッチ５６がオフ状態となると、次の１Ｈ開始までの間、当該スイッチ５６をオフ状態と
した時点での電圧が保持されることになる。
なお、図１において、レジスタ５２、パルス幅変調器５４、メモリ５４ａ及びテーブル
５８Ｒ，５８Ｇ，５８Ｂが制御信号出力回路に対応し、メモリ５４ａ及びテーブル５８Ｒ
，５８Ｇ，５８Ｂが記憶回路に対応し、スイッチ５６がスイッチ回路に対応している。
【００３３】
次に、第１の実施形態における電気光学装置１の動作について説明する。
走査線駆動回路２０は、１フレーム期間（１Ｆ）において、Ｈレベルに相当する選択電
圧Ｖｄｄを、走査信号Ｙ１、Ｙ２、…、Ｙ３２０として１行目から３２０行目の走査線３
１１に順番に供給する。
今、ｉ行目の走査線３１１が選択されて走査信号ＹｉがＨレベルとなっているものとす
る。このとき、例えば、水平走査期間（１Ｈ）において正極性書込が行われるものとする
と、ランプ信号Ｖｒｐが電圧Ｖｃから電圧Ｖｐまで上昇する。
【００３４】
すなわち、ランプ信号生成回路３０から出力されるランプ信号Ｖｒｐは、１Ｈ期間の開
始タイミングｔｓから上昇を始める。また、各パルス幅変調器５４からは、ｉ行目の各画
素に対応する表示データＤａ−１〜Ｄａ−２４０に応じたパルス幅の信号Ｐ１〜Ｐ２４０
がそれぞれ出力される。
例えば、ｉ行ｊ列のＧ用の画素１２０に着目すると、当該画素１２０に対応する表示デ
ータＤａ−ｊに応じたパルス幅の信号Ｐｊが、ｊ列目のパルス幅変調器５４から出力され
る。このとき、表示データＤａ−ｊが（ｎ―２）階調に対応しているものとすると、ｊ列
目のパルス幅変調器５４は、表示データＤａ−ｊをもとにメモリ５４ａを参照して、Ｇ用
レジスタ値Ｄｇn-2を得る。そして、開始タイミングｔｓから１ＨをＭ分割したクロック
信号を計数し、その計数値がレジスタ値Ｄｇn-2未満であるときにはＨレベルとなる信号
Ｐｊを出力し、当該計数値がレジスタ値Ｄｇn-2以上となるタイミングｔｇn-2でＬレベル
となる信号Ｐｊを出力する。
【００３５】
つまり、開始タイミングｔｓからタイミングｔｇn-2まではスイッチ５６がオン状態と
なり、タイミングｔｇn-2となった時点でスイッチ５６がオフ状態となる。
これにより、ｊ列目のデータ線３１１に対して印加される電圧は、開始タイミングｔｓ
からからタイミングｔｇn-2までは、ランプ信号生成回路３０から出力されるランプ信号
Ｖｒｐの上昇に応じて電圧Ｖｃから電圧Ｖｇn-2まで上昇し、タイミングｔｇn-2以降は、
次の１Ｈ期間が開始するまで、スイッチ５６がオフとなる直前の電圧、即ちタイミングｔ
ｇn-2における信号の電圧Ｖｇn-2を維持することになる。
【００３６】
このように、１Ｈ期間において、ｉ行ｊ列の画素電極２３１には、ｉ行ｊ列の表示デー
タＤａ−ｊに応じた電圧が印加されることになり、ｉ行ｊ列の液晶容量１３０には、表示
データＤａ−ｊに応じた電圧とコモン電圧Ｖｃｏｍの電圧Ｖｃとの差電圧が書き込まれる
。
また、ｉ行ｊ＋１列のＢ用の画素１２０に着目すると、当該画素１２０に対応する表示
データＤａ−ｊ＋１に応じたパルス幅の信号Ｐｊ＋１が、ｊ＋１列目のパルス幅変調器５
４から出力される。このとき、表示データＤａ−ｊ＋１が（ｎ―２）階調に対応している
ものとすると、ｊ＋１列目のパルス幅変調器５４は、表示データＤａ−ｊ＋１をもとにメ
モリ５４ａを参照して、Ｂ用レジスタ値Ｄｂn-2を得る。そして、開始タイミングｔｓか
ら１ＨをＭ分割したクロック信号を計数し、その計数値がレジスタ値Ｄｂn-2未満である
ときにはＨレベルとなる信号Ｐｊを出力し、当該計数値がレジスタ値Ｄｂn-2以上となる
タイミングｔｂn-2でＬレベルとなる信号Ｐｊを出力する。
【００３７】
つまり、開始タイミングｔｓからタイミングｔｂn-2まではスイッチ５６がオン状態と
なり、タイミングｔｂn-2となった時点でスイッチ５６がオフ状態となる。
これにより、ｊ＋１列目のデータ線３１１に対して印加される電圧は、開始タイミング
ｔｓからからタイミングｔｂn-2までは、ランプ信号Ｖｒｐの上昇に応じて電圧Ｖｃから
電圧Ｖｂn-2まで上昇し、タイミングｔｂn-2以降は、次の１Ｈ期間が開始するまで、スイ
ッチ５６がオフとなる直前の電圧、即ちタイミングタイミングｔｂn-2における信号の電
圧Ｖｂn-2を維持することになる。
【００３８】
このように、１Ｈ期間において、ｉ行ｊ＋１列の画素電極２３１には、ｉ行ｊ＋１列の
表示データＤａ−ｊ＋１に応じた電圧が印加されることになり、ｉ行ｊ＋１列の液晶容量
１３０には、表示データＤａ−ｊ＋１に応じた電圧とコモン電圧Ｖｃｏｍの電圧Ｖｃとの
差電圧が書き込まれる。
このとき、ｉ行ｊ列の画素１２０の表示データと、ｉ行ｊ＋１列の画素１２０の表示デ
ータとが同じ（ｎ−２）階調に対応している場合であっても、ｊ列目のメモリ５４ａに記
憶されているレジスタ値Ｄｇn-2と、ｊ＋１列目のメモリ５４ａとに記憶されているレジ
スタ値Ｄｂn-2とは異なる値であることから、信号Ｐｊのパルス幅（スイッチ５６がオフ
状態となるタイミング）は異なることになり、ｉ行ｊ列の画素電極２３１に印加される最
終電圧Ｖｇn-2は、ｉ行ｊ＋１列の画素電極２３１に印加される最終電圧Ｖｂn-2より大き
い電圧値となる。
【００３９】
このように、ＲＧＢ毎にデコード値を変えることで、ＲＧＢ毎に独立して階調補正が可
能となる。
ところで、液晶モジュールでのＶ−Ｔ曲線を測定すると、図６に示すように、ＲＧＢ毎
に曲線が異なる場合がある。これは、カラーフィルタを通した後におけるＲＧＢの各光の
波長が異なるためであり、液晶の屈折により各色で透過率が変わるという現象が生じる。
そして、特に短波長の青（Ｂ）がこの影響を受け易い傾向にあることがわかっている。
【００４０】
また、近年の液晶モジュールでは、色再現性や輝度の向上のために、画質（色）が特に
重要になってきており、赤（Ｒ）や青（Ｂ）の中間階調での色ずれを補正するような要求
が高まっている。
従来、時間経過に伴って段階的に上昇又は下降する電圧を周期的に発生し、階調表示デ
ータに対応する時間が経過したときの電圧を表示パネルの電極に印加して階調表示を行う
電気光学装置が知られている。このとき、階調表示データに対応する時間は、ＲＧＢにか
かわらず共通の値に設定されるのが一般的であり、ＲＧＢ毎に独立で階調補正をすること
はできない。
【００４１】
また、図７に示すようなラダー抵抗を用いて、データ線に印加する階調電圧の基準とな
る基準階調電圧Ｖ１〜Ｖｎを生成し、この基準階調電圧Ｖ１〜Ｖｎの中から階調表示デー
タに応じた電圧を選択すると共に、これを、データ線を介して画素電極に印加するという
構成も多用されているが、ＲＧＢ毎に独立で階調補正をするためには、ＲＧＢ毎にラダー
抵抗列が必要となり、回路規模が大きくなると共にコストが嵩む。また、この場合、初期
に作りこんだ抵抗にしか切り替えられないので、自由なガンマ曲線を得るためにはさらに
複数のラダー抵抗が必要となる。
【００４２】
これに対して本実施形態では、一つのランプ信号ＶｒｐからＲＧＢ毎に表示階調をデコ
ードする値を変えるだけで、ＲＧＢ毎に独立して自由なガンマ曲線を作ることができる。
前述した図６において、緑（Ｇ）及び青（Ｂ）のＶ−Ｔ曲線に着目すると、中間階調で
は同じ電圧Ｖを印加した場合、青（Ｂ）の透過率Ｔは緑（Ｇ）の透過率Ｔに対して高くな
ることがわかる。
【００４３】
したがって、中間階調においてＢ用のデコード値とＧ用のデコード値とを異なる値とし
て、図４に示すように、Ｂ用の画素電極２３１に印加する電圧Ｖｂを、Ｇ用の画素電極２
３１に印加する電圧Ｖｇより小さくすることで、Ｖ−Ｔ曲線のずれに起因する色ずれを確
実に補正することができる。
このように、第１の実施形態では、走査線駆動回路で、選択電圧を順番に供給すること
で１ラインずつ走査線に係る画素を選択し、この選択に同期してデータ線をオンし、ラン
プ信号生成回路で生成したランプ信号を供給すると共に、表示データの階調に応じたタイ
ミングでデータ線をオフしてそのときの電圧を保持する。このようにして、選択電圧で選
択した全ての画素の画素電極に画像データを書き込む。このとき、表示階調をデコードす
るためのカウント値をカラーフィルタの色ごとに設定可能とすることで、ＲＧＢ毎に独立
して階調補正を行うことができる。適切に各色の中間階調での色ずれ補正を行うことがで
きる。
【００４４】
したがって、液晶モジュールでのＶ−Ｔ曲線がＲＧＢ毎に異なる場合であっても、回路
規模を増大させることなく簡易な構成で適切に色ずれを補正して、画質の向上を実現する
ことができる。
また、記憶回路に記憶されるカウント値を任意に変更可能とするので、カウント値を書
き換えることで、任意の階調補正を行うことができる。このとき、クロックの分解能（周
波数）を上げるだけで自由なガンマ曲線を得ることができるため、簡便で省チップ化を図
りつつ複数ガンマに対応させて、画質の向上を実現することができる。
【００４５】
さらに、各色に対応するカウント値は、所定の中間階調領域において夫々異なる値に設
定するので、中間階調における色ずれ補正を適切に行うことができ、より効果的に画質の
向上を実現することができる。
なお、上記第１の実施形態においては、ＲＧＢ用テーブルを個別に設ける場合について
説明したが、青色（Ｂ）の階調補正のみを実施する場合など、Ｒ用レジスタ値とＧ用レジ
スタ値を同じ値とする場合には、図８に示すように、Ｒ用テーブル５８ＲとＧ用テーブル
５８Ｇとを共通化し（５８ＲＧ）、Ｂ用テーブル５８Ｂのみを独立させることもできる。
これにより、デコード回路を簡易化することができる。
【００４６】
次に、本発明における第２の実施形態について説明する。
この第２の実施形態は、前述した第１の実施形態において、ＲＧＢ用のテーブルを共通
化し、Ｂ用レジスタ値を、Ｒ用及びＧ用レジスタ値に対して所定量を加減算して設定する
ようにしたものである。
図９は、第２の実施形態における電気光学装置１の構成を示すブロック図である。
【００４７】
この図９に示すように、前述した第１の実施形態の電気光学装置１におけるＲＧＢ用の
各テーブル５８Ｒ，５８Ｇ，５８Ｂを１つのテーブル５８としたことを除いては、図１と
同様の構成を有する。このテーブル５８には、複数のガンマ曲線に対応した複数のデコー
ド値Ｄ0〜Ｄnの組が格納されている。
そして、図１０に示すように、所定の中間階調領域において、各階調でのＢ用のタイミ
ングｔｂをＧ用のタイミングｔｇに対して均等にずらすようにする。
【００４８】
つまり、図１１に示すように、Ｇ用のデータ線２１１に設けられたメモリ５４ａには、
テーブル５８に格納された複数のデコード値Ｄ0〜Ｄnのうち、所定のガンマ曲線に対応し
たデコード値Ｄ0〜Ｄnの組をそのままＧ用レジスタ値として記憶する。一方、Ｂ用のデー
タ線２１１に設けられたメモリ５４ａには、所定の中間階調において、Ｇ用のデコード値
に対して所定量αを減算した値をＢ用レジスタ値として記憶する。
【００４９】
ここで、所定量αは、前述した図６において、青色（Ｂ）と緑色（Ｇ）との色ずれがほ
ぼ補正される程度の値に設定する。
次に、第２の実施形態における電気光学装置１の動作について説明する。
今、ｉ行目の走査線３１１が選択されて走査信号ＹｉがＨレベルとなっているものとす
る。このとき、例えば、水平走査期間（１Ｈ）において正極性書込が行われるものとする
。
【００５０】
例えば、ｉ行ｊ列のＧ用の画素１２０に着目すると、当該画素１２０に対応する表示デ
ータＤａ−ｊに応じたパルス幅の信号Ｐｊが、ｊ列目のパルス幅変調器５４から出力され
る。このとき、表示データＤａ−ｊが（ｎ―２）階調に対応しているものとすると、ｊ列
目のパルス幅変調器５４は、表示データＤａ−ｊをもとにメモリ５４ａを参照して、Ｇ用
レジスタ値Ｄｇn-2を得る。そして、開始タイミングｔｓから１ＨをＭ分割したクロック
信号を計数し、その計数値がレジスタ値Ｄｇn-2未満であるときにはＨレベルとなる信号
Ｐｊを出力し、当該計数値がレジスタ値Ｄｇn-2以上となるタイミングｔｇn-2でＬレベル
となる信号Ｐｊを出力する。
【００５１】
これにより、ｉ行ｊ列の画素電極２３１には、表示データＤａ−ｊに応じた電圧Ｖｇn-
2が印加され、ｉ行ｊ列の液晶容量１３０には、上記電圧Ｖｇn-2とコモン電圧Ｖｃｏｍの
電圧Ｖｃとの差電圧が書き込まれる。
同様に、ｉ行ｊ＋１列のＢ用の画素１２０に対応する表示データＤａ−ｊ＋１が、（ｎ
−２）階調に対応しているものとすると、ｉ行ｊ＋１列の画素電極２３１には、表示デー
タＤａ−ｊ＋１に応じた電圧Ｖｂn-2が印加され、ｉ行ｊ＋１列の液晶容量１３０には、
上記電圧Ｖｂn-2とコモン電圧Ｖｃｏｍの電圧Ｖｃとの差電圧が書き込まれる。
【００５２】
このとき、ｉ行ｊ列の画素１２０の表示データと、ｉ行ｊ＋１列の画素１２０の表示デ
ータとが同じ（ｎ−２）階調に対応している場合であっても、ｊ列目のメモリ５４ａに記
憶されているレジスタ値Ｄｇn-2と、ｊ＋１列目のメモリ５４ａとに記憶されているレジ
スタ値Ｄｂn-2（＝Ｄｇn-2−α）とは異なる値であることから、信号Ｐｊのパルス幅（ス
イッチ５６がオフ状態となるタイミング）は異なることになり、ｉ行ｊ列の画素電極２３
１に印加される最終電圧Ｖｇn-2は、ｉ行ｊ＋１列の画素電極２３１に印加される最終電
圧Ｖｂn-2より大きくなる。
【００５３】
また、ｉ行ｊ列の画素１２０の表示データと、ｉ行ｊ＋１列の画素１２０の表示データ
とが、例えば、同じ（ｎ−１）階調に対応している場合でも、ｉ行ｊ列の画素電極２３１
に印加される最終電圧Ｖｇn-1は、ｉ行ｊ＋１列の画素電極２３１に印加される最終電圧
Ｖｂn-1より大きくなる。
ここで、所定の中間階調領域においては、各階調でのＢ用レジスタ値ＤｂをＧ用レジス
タ値Ｄｇに対して所定量αを減算した値に設定しているため、図１０に示すように、電圧
Ｖｇn-2と電圧Ｖｂn-2との差と、電圧Ｖｇn-1と電圧Ｖｂn-1との差とは等しくなる。この
ように、簡単な演算によりＢ用レジスタ値を設定し、中間階調領域の各階調において、Ｂ
用の画素電極２３１に印加する電圧Ｖｂを、Ｇ用の画素電極２３１に印加する電圧Ｖｇよ
り所定電圧ずつ小さくすることにより、Ｖ−Ｔ曲線のずれに起因する色ずれをほぼ補正す
ることができる。
【００５４】
このように、上記第２の実施形態では、青色の階調補正を簡易な構成で行うことができ
ると共に、１つのテーブル５８から各色に対応するメモリ５４ａに記憶するレジスタ値を
設定するので、デコード回路の更なる簡易化を実現することができる。
なお、上記第２の実施形態においては、Ｒ用及びＧ用のデコード値に所定量αを減算し
てＢ用のデコード値を求める場合について説明したが、所定量βを加算してＢ用のデコー
ド値を求めることもできる。
【００５５】
なお、上記各実施形態においては、複数のガンマ曲線に対応した複数のデコード値Ｄ0
〜Ｄnの組を格納するテーブルを電気光学装置１内に設け、当該テーブルに格納された複
数のデコード値Ｄ0〜Ｄnから１つを選択し、これをメモリ５４ａに記憶させる場合につい
て説明したが、電気光学装置１外に設けた外部装置によってメモリ５４ａに記憶するデコ
ード値Ｄ0〜Ｄnを更新することもできる。
【００５６】
また、上記各実施形態においては、パルス幅変調器５４内にメモリ５４ａを設け、当該
メモリ５４ａに、テーブルに格納された複数のデコード値Ｄ0〜Ｄnのうち１つを記憶させ
る場合について説明したが、当該メモリ５４ａを設けず、パルス幅変調器５４で直接テー
ブル内の所定のデコード値Ｄ0〜Ｄnを参照することもできる。
さらに、上記各実施形態においては、ランプ信号生成回路３０から１つのランプ信号Ｖ
ｒｐを出力する場合について説明したが、ＲＧＢ毎に異なる波形を有するランプ信号を夫
々出力することもできる。
【００５７】
また、上記各実施形態においては、ＲＧＢの３色のカラーフィルタを採用する場合につ
いて説明したが、カラーフィルタの着色領域を４色以上とすることもできる。
さらにまた、上記各実施形態においては、本発明を、液晶を用いた電気光学装置に適用
する場合について説明したが、液晶以外の電気光学物質を用いた電気光学装置に適用する
こともできる。例えば、有機ＥＬや発光ポリマーなどのＯＬＥＤ素子を電気光学物質とし
て用いた表示パネルや、着色された液体とこの液体に分散された白色の粒子とを含むマイ
クロカプセルを電気光学物質として用いた電気泳動表示パネル、極性が相違する領域ごと
に異なる色に塗り分けられたツイストボールを電気光学物質として用いたツイストボール
ディスプレイパネル、黒色トナーを電気光学物質として用いたトナーディスプレイパネル
、ヘリウムやネオン等の高圧ガスを電気光学物質として用いたプラズマディスプレイパネ
ルなど、各種の電気光学装置に対して本発明を適用することができる。
【００５８】
次に、上述した電気光学装置１を適用した電子機器について説明する。
図１２は、電気光学装置１を適用した携帯電話１２０の構成を示す斜視図である。
この図１２に示すように、携帯電話１２００は、複数の操作ボタン１２０１のほか、受
話口１２０２、送話口１２０３とともに、上述した表示領域１００を備えるものである。
なお、電気光学装置１のうち、表示領域１００以外の構成要素については電話器に内蔵さ
れるので、外観としては現れない。
【００５９】
また、電気光学装置１が適用される電子機器としては、図１２に示される携帯電話の他
にも、デジタルスチルカメラや、ノートパソコン、液晶テレビ、ビューファインダ型（ま
たはモニタ直視型）のビデオレコーダ、カーナビゲーション装置、ページャ、電子手帳、
電卓、ワードプロセッサ、ワークステーション、テレビ電話、ＰＯＳ端末、タッチパネル
を備えた機器等などが挙げられる。そして、これらの各種電子機器の表示装置として、上
述した電気光学装置１が適用可能であることは言うまでもない。
【図面の簡単な説明】
【００６０】
【図１】第１の実施形態における電気光学装置の構成を示すブロック図ある。
【図２】画素の構成を示す図である。
【図３】第１の実施形態の動作を説明する図である。
【図４】第１の実施形態の動作を説明する図である。
【図５】第１の実施形態におけるメモリに記憶されたレジスタ値を示す図である。
【図６】各色のＶ−Ｔ曲線である。
【図７】ラダー抵抗を用いた階調電圧生成回路を説明する図である。
【図８】電気光学装置の別の構成を示すブロック図である。
【図９】第２の実施形態における電気光学装置の構成を示すブロック図である。
【図１０】第２の実施形態の動作を説明する図である。
【図１１】第１の実施形態におけるメモリに記憶されたレジスタ値を示す図である。
【図１２】本発明の電気光学装置を適用した携帯電話を示す図である。
【符号の説明】
【００６１】
１…電気光学装置、１０…タイミング制御回路、２０…走査線駆動回路、３０…ランプ
信号生成回路、５２…レジスタ、５４…パルス幅変調器、５４ａ…メモリ、５６…スイッ
チ、１１０…コモン電極、１２０…画素、２１１…データ線、２３１…画素電極、２４１
…ＴＦＴ、３１１…走査線、１２０…携帯電話
【図１】
2008151987.tif 000003
【図２】
2008151987.tif 000004
【図３】
2008151987.tif 000005
【図４】
2008151987.tif 000006
【図５】
2008151987.tif 000007
【図６】
2008151987.tif 000008
【図７】
2008151987.tif 000009
【図８】
2008151987.tif 000010
【図９】
2008151987.tif 000011
【図１０】
2008151987.tif 000012
【図１１】
2008151987.tif 000013
【図１２】
2008151987.tif 000014